(57)【要約】【課題】多種類の粉粒体を貯蔵する貯蔵部（ホッパ）を備え、貯蔵部の排出口での粉粒体の性状を精度よく予測でき、粉砕機や燃焼装置を安定的に運転制御できる粉粒体の供給システムを提供する。【解決手段】複数の種類の粉粒体を貯蔵可能な貯蔵部２と、貯蔵部２へ粉粒体を供給する供給部１と、貯蔵部２に設けられ、粉粒体の圧力、流動方向、流動速度、摩擦力、及び圧力の脈動周波数のうち少なくとも１つを検出する検知部９と、供給部１と検知部９に接続された制御装置７と、制御装置７に接続された表示部８を備える。制御装置７は、粉粒体についての計算パラメータを用いて、貯蔵部２の内部での粉粒体の挙動を計算して求める計算部を備える。表示部８は、検知部９が検出した値と、計算部の計算結果を表示する。計算部は、計算パラメータが修正されると、修正された計算パラメータを用いて、貯蔵部２の内部での粉粒体の挙動を再度計算して求める。【選択図】図１
2015045463.tif 000002
【特許請求の範囲】
【請求項１】
複数の種類の粉粒体を貯蔵可能な貯蔵部と、
前記貯蔵部へ前記粉粒体を供給する供給部と、
前記貯蔵部に設けられ、前記粉粒体の圧力、流動方向、流動速度、摩擦力、及び前記圧力の脈動周波数のうち少なくとも１つを検出する検知部と、
前記供給部と前記検知部とに接続された制御装置と、
前記制御装置に接続された表示部とを備え、
前記制御装置は、前記粉粒体についての計算パラメータが格納された情報格納部と、前記計算パラメータを用いて前記貯蔵部の内部での前記粉粒体の挙動を計算して求める計算部とを備え、
前記表示部は、前記検知部が検出した値と、前記計算部の計算結果とを表示し、
前記計算部は、前記計算パラメータが修正されると、修正された前記計算パラメータを用いて、前記貯蔵部の内部での前記粉粒体の挙動を再度計算して求める、
ことを特徴とする粉粒体の供給システム。
【請求項２】
前記制御装置は、前記検知部が検出した値と前記計算部の計算結果とを基に、前記計算パラメータを修正する補正部をさらに備え、
前記計算部は、前記補正部が修正した前記計算パラメータを用いて、前記貯蔵部の内部での前記粉粒体の挙動を再度計算して求める請求項１に記載の粉粒体の供給システム。
【請求項３】
前記情報格納部は、前記供給部が前記貯蔵部へ前記粉粒体を供給するスケジュールを格納し、
前記制御装置は、前記計算部の計算結果を基に、前記スケジュールを変更し、
前記供給部は、変更された前記スケジュールに従って、前記貯蔵部へ前記粉粒体を供給する請求項１または２に記載の粉粒体の供給システム。
【請求項４】
前記制御装置は、前記計算部の計算結果を基に、前記供給部が前記貯蔵部へ前記粉粒体を供給する位置を変更する請求項１または２に記載の粉粒体の供給システム。
【請求項５】
請求項１または２に記載の粉粒体の供給システムと、
前記供給システムから供給された前記粉粒体を粉砕する粉砕機と、
前記粉砕機が粉砕した前記粉粒体を燃焼する火炉と、
前記供給システムの前記制御装置と、前記粉砕機とに接続された制御部とを備え、
前記制御部は、前記供給システムの前記計算部の計算結果を基に、前記粉砕機の粉砕条件を変更する、
ことを特徴とする燃焼装置。
【請求項６】
請求項１または２に記載の粉粒体の供給システムと、
前記供給システムから供給された前記粉粒体を粉砕する粉砕機と、
前記粉砕機が粉砕した前記粉粒体を噴出するバーナと、
前記バーナが噴出した前記粉粒体を燃焼する火炉と、
前記供給システムの前記制御装置と、前記バーナへ空気を供給するファンとに接続された制御部とを備え、
前記制御部は、前記供給システムの前記計算部の計算結果を基に、前記バーナへ供給する空気の量を変更する、
ことを特徴とする燃焼装置。
【発明の詳細な説明】
【技術分野】
【０００１】
本発明は、多種類の粉粒体を供給する粉粒体の供給システムと、それを備える燃焼装置に関する。
【背景技術】
【０００２】
発電用のボイラでは、排出する二酸化炭素量の削減のため、化石燃料に代わり木材や農業廃棄物のような植物由来の成分、いわゆるバイオマスを燃料として利用することが増加している。バイオマスを利用すると、排出した二酸化炭素は再び植物に吸収され、地球上で循環するので、大気中の二酸化炭素の濃度を増やさないものとみなされる。
【０００３】
バイオマスの利用方法の１つに、ボイラに用いる複数の粉砕機のうちの一部にバイオマスを粉砕する構造を付与し、この一部の粉砕機で粉砕したバイオマスと、残りの粉砕機で粉砕した石炭とをボイラ内で燃焼する方法（以下、「本方式」と記す）がある。本方式では、バイオマスと石炭のそれぞれに適した粉砕条件を、それぞれの粉砕機に与えることができる。また、バイオマスの供給が少ない場合には、粉砕機の設定を変えることで、バイオマスを粉砕する粉砕機で石炭を粉砕することも可能である。本方式では、粉砕機の上流側に貯蔵部（ホッパ）を接続し、バイオマスの搬入状況に応じて、バイオマスや石炭等の粉粒体の固体燃料をホッパに貯蔵し、ホッパから排出した固体燃料を粉砕機に供給する。粉砕機の設定やボイラの燃焼条件は、ホッパから排出される際の固体燃料の性状に合わせて調整する。
【０００４】
粉粒体の固体燃料は、粒度や比重、摩擦係数により流動性が異なり、流動速度が異なる。例えば、一般に、比重の大きい石炭は流動性が高くホッパから早く排出し、比重の小さいバイオマスは流動性が低くホッパから遅く排出する。このため、ホッパに貯蔵した固体燃料は、貯蔵した順に排出されるとは限らない。例えば、バイオマス、石炭の順にホッパに貯蔵した場合では、バイオマス、石炭の順にホッパから排出されるとは限らない。石炭は、ホッパの排出口に到達するのが早いので、バイオマスの全てが排出し終わる前に排出口に到達し、バイオマスと混合されてホッパから排出される（すなわち、ホッパから排出される固体燃料は、バイオマス、バイオマスと石炭との混合物、及び石炭の順に時間とともに変化する）。このため、ホッパの下流側に設置される粉砕機やボイラでは、バイオマスの貯蔵量と排出速度から計算される時刻よりも前に石炭が排出し始めるので、粉砕機の設定やボイラの燃焼条件をバイオマスと石炭が混合した状態に合わせることが必要となる。そこで、ホッパから排出される前に固体燃料の性状（固体燃料の種類と混合比率）を予測できれば、粉砕機の設定やボイラの燃焼条件の調整が容易となる。
【０００５】
ホッパから排出される粉粒体の性状を予測する技術の例は、特許文献１、２に開示されている。何れの技術も、粉粒体のシミュレーション技術を利用して貯蔵部（ホッパ）での粉粒体の挙動を予測し、貯蔵部の下部での粉粒体の性状を把握する技術である。
【先行技術文献】
【特許文献】
【０００６】
【特許文献１】特開平９−２７２９０４号公報
【特許文献２】特開２０００−２８２１０９号公報
【発明の概要】
【発明が解決しようとする課題】
【０００７】
特許文献１、２に開示されている技術では、主に高炉内での鉄鉱石とコークス層の流動を対象として、粉粒体の数値シミュレーション技術を適用している。この場合には、鉄鉱石とコークスの層を順番に降下させることが重要である。
【０００８】
特許文献１、２の技術では、それぞれの粒子についての、比重（作用する重力）、粒子や壁面との摩擦力、供給時の粒子径や空隙率に代表される入力条件を与える。この入力条件に基づき、数値シミュレーションを実施し、粉粒体の位置を計算する。
【０００９】
しかし、バイオマスは個々の粒子によって比重等が大きく変動するので、代表値で与えた入力条件でバイオマス全体の性質を表すことが難しい。また、バイオマスは、形状が一定でないうえ、ホッパ内での流動により粒子が圧密したり分解したりすると、入力条件で与えた粒子径、比重、及び摩擦力が変化する。このため、バイオマスは、数値シミュレーションで求めた挙動と実際の挙動との差異が大きくなる。
【００１０】
粉砕機の設定やボイラの燃焼条件は、ホッパから排出される固体燃料の性状（固体燃料の種類と混合比率）を基に決められるので、ホッパの排出口での固体燃料の粉粒体の性状を精度よく予測することは、粉砕機や燃焼装置を安定的に運転制御するために重要なことである。また、粉粒体が固体燃料以外の場合でも、ホッパの下流に接続された装置を安定的に運転制御するためには、ホッパの排出口での粉粒体の性状を精度よく予測することが重要である。
【００１１】
本発明は、多種類の粉粒体を貯蔵する貯蔵部（ホッパ）を備え、貯蔵部の排出口での粉粒体の性状を精度よく予測でき、粉砕機や燃焼装置を安定的に運転制御できる粉粒体の供給システムを提供することを目的とする。また、このような粉粒体の供給システムを備える燃焼装置を提供することを目的とする。
【課題を解決するための手段】
【００１２】
本発明による粉粒体の供給システムは、次のような特徴を持つ。複数の種類の粉粒体を貯蔵可能な貯蔵部と、前記貯蔵部へ前記粉粒体を供給する供給部と、前記貯蔵部に設けられ、前記粉粒体の圧力、流動方向、流動速度、摩擦力、及び前記圧力の脈動周波数のうち少なくとも１つを検出する検知部と、前記供給部と前記検知部とに接続された制御装置と、前記制御装置に接続された表示部とを備える。前記制御装置は、前記粉粒体についての計算パラメータが格納された情報格納部と、前記計算パラメータを用いて前記貯蔵部の内部での前記粉粒体の挙動を計算して求める計算部とを備える。前記表示部は、前記検知部が検出した値と、前記計算部の計算結果とを表示する。前記計算部は、前記計算パラメータが修正されると、修正された前記計算パラメータを用いて、前記貯蔵部の内部での前記粉粒体の挙動を再度計算して求める。
【発明の効果】
【００１３】
本発明によると、多種類の粉粒体を貯蔵する貯蔵部（ホッパ）を備え、貯蔵部の排出口での粉粒体の性状を精度よく予測でき、粉砕機や燃焼装置を安定的に運転制御できる粉粒体の供給システムを提供することができる。また、このような粉粒体の供給システムを備える燃焼装置を提供することができる。
【図面の簡単な説明】
【００１４】
【図１】本発明の実施例１による粉粒体の供給システムの模式図。
【図２】実施例１における制御装置の構成と処理を模式的に示すブロック図。
【図３Ａ】貯蔵部への粉粒体の供給スケジュールの一例を示す図。
【図３Ｂ】図３Ａの供給スケジュールから求めた、供給システムの出口での粉粒体の性状の一例を示す図。
【図３Ｃ】図３Ａと図３Ｂから求めた、貯蔵部の粉粒体の貯蔵量を示す図。
【図４Ａ】変更した、貯蔵部への粉粒体の供給スケジュールの一例を示す図。
【図４Ｂ】図４Ａの供給スケジュールから求めた、供給システムの出口での粉粒体の性状の一例を示す図。
【図４Ｃ】図４Ａと図４Ｂから求めた、貯蔵部の粉粒体の貯蔵量を示す図。
【図５】貯蔵部内のバイオマスの粉粒体に圧密層が形成されている場合の粉粒体の供給システムの模式図。
【図６】本発明の実施例２による燃焼装置の模式図。
【発明を実施するための形態】
【００１５】
本発明は、多種類の粉粒体を供給する粉粒体の供給システムと、それを備える燃焼装置に関し、粉粒体を貯蔵する貯蔵部の内部（特に、供給システムの出口（または貯蔵部の排出口））での粉粒体の性状を精度よく求めて予測し、この予測に基づき供給システムや燃焼装置を制御する装置に関する。本発明の主な適用先として、固体燃料を燃焼するボイラに、石炭とバイオマスのように異なる種類の固体燃料の粉粒体を供給する供給システムが例示できる。本発明による供給システムは、石炭とバイオマス以外の固体燃料、例えば灰や汚泥からなる固体燃料を供給する供給システムにも適用できる。さらに、本発明による供給システムは、固体燃料以外の粉粒体、例えば穀物などの食料や化学材料を供給する供給システムに適用することもできる。
【００１６】
本発明による粉粒体の供給システムの特徴を、より詳しく述べる。
【００１７】
本供給システムは、粉粒体の貯蔵部（ホッパ）内における粉粒体の挙動を、実際の挙動との差異が小さくなるように数値シミュレーションで求め、貯蔵部の内部での粉粒体の性状（種類と混合比率）を精度よく予測することができる。このような粉粒体の供給システムを備える燃焼装置では、貯蔵部の排出口から実際に排出された粉粒体が、供給システムの下流に設けられた粉砕機や燃焼装置に供給されるよりも前に、粉砕機の粉砕条件（例えば、粉砕加圧力、粉砕速度、分級器の回転数、導入空気量、及び温度）や粉砕機の下流にあるボイラの燃焼条件（例えば、空気量配分、及び運転負荷）の調整を始めることができる。
【００１８】
また、本供給システムは、貯蔵部内での粉粒体の流動状態を、貯蔵部の全体で排出口へ向かう流れが均等に生じる、いわゆるマスフローの状態に保つことで、貯蔵した順に粉粒体が排出されるようにすることができる。本発明による供給システムの貯蔵部のように、多種類の固体燃料からなる粉粒体を層状に貯蔵して排出する貯蔵部では、貯蔵された粉粒体がマスフローの状態を形成しながら流動して排出することが重要である。しかし、バイオマスと石炭のように比重や摩擦力が異なる粉粒体を層状に貯蔵すると、互いの流動性の違いや圧密により、流動性の高い粉粒体が先に流動し、流動性の低い粉粒体が貯蔵部内に留まる、いわゆるファンネルフローの状態になりやすい。ファンネルフローの状態では、貯蔵部から排出される粉粒体の性状を予測するのが困難であり、好ましくない。
【００１９】
従来の粉粒体の供給システムでは、粉粒体の比重、粉粒体の粒子と壁面との摩擦力、粉粒体の粒子同士の摩擦力、粒子径、及び空隙率等の計算パラメータが与えられ、これらの計算パラメータを用いて、貯蔵部の内部での粉粒体の分布や、貯蔵部の排出口での粉粒体の性状（種類と混合比率）を求める。この場合、計算パラメータは、対象の粉粒体を代表するものである必要がある。バイオマスは、個々の粒子によって比重等の変動が大きく、代表値で与えた計算パラメータでバイオマス全体の性質を表すことが難しい。また、バイオマスは、形状が一定でないうえ、貯蔵部内での流動により粒子が圧密したり分解したりすると、計算パラメータで与えた粒子径、比重、及び摩擦力が変化する。このため、バイオマスは、数値シミュレーションで求めた挙動（流動状態や分布や性状）と実際の挙動との差異が大きくなる。
【００２０】
本発明による粉粒体の供給システムでは、粉粒体の圧力、流動方向、流動速度、摩擦力、及び粉粒体の圧力の脈動周波数のうち少なくとも１つを検出する検知部を貯蔵部の壁面に備える。さらに、計算パラメータ（粉粒体の比重、粉粒体の粒子と壁面との摩擦力、粉粒体の粒子同士の摩擦力、粒子径、及び空隙率等）を格納する情報格納部と、計算パラメータを用いて貯蔵部内における粉粒体の流動状態や分布や性状を数値シミュレーションで求める計算部と、検知部の出力と計算部の計算結果とを比較して計算パラメータを修正する補正部を備える。このような構成により、本供給システムは、数値シミュレーションで求めた粉粒体の挙動と実際の粉粒体の挙動との差異を小さくすることができ、貯蔵部の排出口での粉粒体の性状を精度よく予測できる。２回目以後の計算では、補正部で修正された計算パラメータを用いて数値シミュレーションを行い、その結果にさらに補正を行うので、より精度よく粉粒体の性状を予測できる。
【００２１】
なお、本発明による粉粒体の供給システムは、補正部を備えなくてもよい。この場合には、作業者が、表示された検知部の出力と計算部の計算結果とを比較して、計算パラメータを修正する。
【００２２】
本供給システムは、数値シミュレーションにより、粉粒体を貯蔵する貯蔵部の内部（特に、供給システムの出口（または貯蔵部の排出口））での粉粒体の性状（種類と混合比率）を予測する。このため、貯蔵部の排出口から実際に排出された粉粒体が、供給システムの下流にある粉砕機や燃焼装置に供給されるよりも前に、粉砕機の粉砕条件（例えば、粉砕加圧力、粉砕速度、分級器の回転数、導入空気量、及び温度）や粉砕機の下流にあるボイラの燃焼条件（例えば、空気量配分、及び運転負荷）の調整を始めることができる。このため、時定数の長い粉砕加圧力、導入空気量、温度、及び運転負荷の調整を事前に行うことができ、粉砕機や燃焼装置を安定的に運転制御することが容易である。
【００２３】
また、本発明による粉粒体の供給システムは、数値シミュレーションの結果に基づいて、貯蔵部への粉粒体の供給スケジュールや貯蔵部における粉粒体の供給位置を変更する制御装置を備える。制御装置の処理により、貯蔵部内での粉粒体の流動状態を、貯蔵部の全体で排出口へ向かう流れが均等に生じる、いわゆるマスフローの状態に保つことができ、粉粒体を貯蔵した順に排出することができる。
【００２４】
例えば、貯蔵部内にバイオマスの粉粒体が存在し、石炭の粉粒体をその上部に供給して貯蔵する場合で、当初の計画を元に数値シミュレーションをしたところ、計算結果からバイオマスの粉粒体の圧密が想定される場合には、石炭の粉粒体の供給時期を遅らせることで石炭の重量を減らし、バイオマスの圧密を緩和することができる。このようにして、貯蔵部内での粉粒体の流動状態がファンネルフローの状態になるのを抑制することができ、マスフローの状態に保つことができる。
【００２５】
また、例えば、貯蔵部内の下層で既に圧密層が形成されて粉粒体の流動が阻害されている場合には、圧密層が形成された箇所の上部に粉粒体を偏って供給する。このようにして、貯蔵部の壁面と圧密層との間の摩擦力よりも、圧密層に作用する重力を大きくすることで、重力による圧密層の排出を促進することができる。
【００２６】
以下、本発明の実施例による粉粒体の供給システムと燃焼装置を説明する。実施例１では粉粒体の供給システムについて、実施例２では粉粒体の供給システムを備える燃焼装置について説明する。
【実施例１】
【００２７】
図１は、本発明の実施例１による粉粒体の供給システムの模式図である。図１には、一例として、下流側に接続された燃焼装置（図示せず）に固体燃料の粉粒体を供給する供給システムを示している。本実施例では、固体燃料として、石炭とバイオマスを用いる。ただし、本発明による粉粒体の供給システムは、石炭とバイオマス以外の固体燃料、例えば灰や汚泥からなる固体燃料を供給する供給システムにも適用でき、さらには、固体燃料以外の粉粒体、例えば穀物などの食料や化学材料を供給する供給システムにも適用できる。
【００２８】
本実施例の粉粒体の供給システムは、固体燃料の粉粒体を貯蔵し排出する貯蔵部（ホッパ）２と、貯蔵部２へ固体燃料の粉粒体を供給する供給部１と、貯蔵部２の排出口に設けられ貯蔵部２から粉粒体を排出するための排出部３と、排出部３により貯蔵部２から排出された粉粒体を搬送する搬送部４と、制御装置７と、表示部８を備える。貯蔵部２は、複数の種類の粉粒体を貯蔵可能である。固体燃料の粉粒体は、上流側から、供給部１、貯蔵部２、排出部３、及び搬送部４の順に流れる。
【００２９】
貯蔵部２は、後述する検知部９（９ａ、９ｂ）を壁面に備える。検知部の数は１つでも複数でもよく、本実施例では、貯蔵部２は２つの検知部９ａ、９ｂを備える。貯蔵部２の下部は、粉粒体の排出方向に垂直な断面積が排出方向に向かって小さくなるように（すなわち、排出方向に向かって先細りするように）、形状が変化している。
【００３０】
供給部１は、貯蔵部２へ供給する粉粒体の量を計測できる供給量計測部５を備え、後述する粉粒体の供給スケジュールに従って貯蔵部２へ粉粒体を供給する。搬送部４は、貯蔵部２から排出された粉粒体の量を計測できる排出量計測部６を備える。供給量計測部５と排出量計測部６は、供給または排出する粉粒体の重量と速度を計測し、供給するまたは排出された粉粒体の量を求めることができる。供給部１と搬送部４は、粉粒体を搬送するコンベアで構成することができる。排出部３は、粉粒体を排出するフィーダで構成することができる。貯蔵部２から排出された粉粒体の量を計測する機能は、排出部３に設けてもよい。
【００３１】
制御装置７は、供給部１、排出部３、搬送部４、供給量計測部５、排出量計測部６、及び検知部９ａ、９ｂと信号線（点線で図示）で接続され、後述する数値シミュレーションと補正処理を実行する。供給部１、排出部３、搬送部４、供給量計測部５、排出量計測部６、及び検知部９ａ、９ｂのそれぞれは、計測信号を制御装置７に送信し、制御装置７から受信した信号に基づいて運転することができる。
【００３２】
表示部８は、制御装置７に接続され、制御装置７が受信した各計測信号（検知部９ａ、９ｂの出力も含む）、制御装置７の制御情報、及び後述する数値シミュレーションの結果についての情報を表示する。
【００３３】
なお、図１では、貯蔵部２が、下部にバイオマスの粉粒体１０を、その上部に石炭の粉粒体１１を重ねて貯蔵している状態を示す。貯蔵部２の内部でのこれらの粉粒体１０、１１の挙動（流動状態や分布や性状）は、粉粒体１０、１１の供給状況と排出状況により変動する。
【００３４】
本実施例の粉粒体の供給システムは、貯蔵部２の内部での粉粒体１０、１１の挙動を数値シミュレーションとその結果の補正により把握し、粉粒体を貯蔵する貯蔵部２の内部（特に、供給システムの出口（または貯蔵部２の排出口））での粉粒体の性状（種類と混合比率）を求めて予測する。以下に、数値シミュレーションとその結果の補正方法について示す。
【００３５】
図２は、制御装置７の構成と処理を模式的に示すブロック図である。図２では、制御装置７の構成とともに、粉粒体を貯蔵する貯蔵部の内部での粉粒体の性状を、制御装置７が求める処理の流れを示す。
【００３６】
制御装置７は、入力設定部２２、入力部２１、情報格納部２４、情報照合部２３、計算部２５、及び補正部２７を備え、検知部９と表示部８に接続される。なお、制御装置７は補正部２７を備えなくてもよく、この場合には補正部２７が行う処理は作業者が実行する。
【００３７】
入力設定部２２は、制御装置７へデータや情報を入力するための入力手段である。
【００３８】
入力部２１は、入力設定部２２で入力されたデータや情報を受け取る。入力設定部２２で入力されたデータには、粉粒体の供給スケジュールが含まれる。粉粒体の供給スケジュールとは、供給部１が貯蔵部２へ粉粒体を供給するスケジュールであり、粉粒体の種類、粉粒体の供給量（重量や体積）、及び粉粒体の供給時刻と供給時間（供給する時間の長さ）を含む。入力部２１が受け取ったデータや情報は、入力設定部２２で修正することも可能である。
【００３９】
情報格納部２４には、予め、供給する粉粒体についての計算パラメータが格納されている。計算パラメータは、入力設定部２２で入力することができる。計算パラメータには、上述したように、粉粒体の比重、粉粒体の粒子と壁面との摩擦力（摩擦係数）、粉粒体の粒子同士の摩擦力（摩擦係数）、粒子径、及び空隙率が含まれる。また、情報格納部２４は、入力部２１が受け取ったデータ（例えば、粉粒体の供給スケジュール）や情報を格納する。
【００４０】
情報照合部２３は、入力部２１が受け取った粉粒体の種類に応じた計算パラメータを情報格納部２４から取得し、取得した計算パラメータを計算部２５に出力する。
【００４１】
計算部２５は、受け取った計算パラメータを用いて、貯蔵部２の内部での粉粒体の挙動（流動状態や分布や性状）を数値シミュレーションにより求め、求めた数値シミュレーションの結果を補正部２７へ出力する。粉粒体の流動状態には、粉粒体の流動速度、貯蔵部２の壁面に対する粉粒体の圧力、及びこの圧力の脈動周波数が含まれる。
【００４２】
補正部２７は、後述するように、検知部９の検出値と数値シミュレーションの結果を基に、計算パラメータを修正する。上述したように、制御装置７が補正部２７を備えない場合には、この処理は作業者が実行する。この場合には、図２には示していないが、検知部９の検出値と数値シミュレーションの結果を表示部８に表示し、作業者は、表示部８に表示された検知部９の検出値と数値シミュレーションの結果とを比較して、計算パラメータを修正する。
【００４３】
計算部２５は、補正部２７（または作業者）によって修正された計算パラメータを用いて、貯蔵部２の内部での粉粒体の挙動（流動状態や分布や性状）を数値シミュレーションにより再度求め、数値シミュレーションの結果を補正する。
【００４４】
補正部２７（または作業者）は、計算パラメータの修正が不要であると判断すると、補正された数値シミュレーションの結果を表示部８に出力する。数値シミュレーションの結果には、粉粒体を貯蔵する貯蔵部の内部（特に、供給システムの出口（または貯蔵部の排出口））での粉粒体の性状（種類と混合比率）、分布、及び流動状態が含まれる。粉粒体の流動状態には、粉粒体の流動速度、貯蔵部２の壁面に対する粉粒体の圧力、及びこの圧力の脈動周波数が含まれる。補正部２７（または作業者）は、例えば、前回求めた値と今回求めた値との差の絶対値が予め定めた閾値以下であると、計算パラメータの修正が不要であると判断することができる。
【００４５】
表示部８は、数値シミュレーションの結果である粉粒体の挙動、例えば、供給システムの出口（貯蔵部２の排出口）での粉粒体の種類と混合比率の予測結果を表示する。
【００４６】
計算部２５で実行する数値シミュレーションでの計算方法には、例えば、個々の粒子間について運動方程式を立て、これらを連立方程式として解き、粒子の挙動を計算する方法（粒子要素法）がある。また、計算時間を短縮し、実用的な時間で計算結果を得る方法として、Smoothed Particle要素法や粉体オートマトン法がある。
【００４７】
Smoothed Particle要素法は、粉粒体の多数の粒子を含む粉体要素を定義し、この粉体要素の運動をラグランジュ的に追跡する方法である。この方法では、定義した粉体要素に対し、異なる粉体要素や（貯蔵部２の）壁面に対する粒子の運動、及び粉体要素内での個々の粒子の運動をモデル化し、質量と運動量の保存式を立てて、粒子の挙動を計算する。この方法では、粉粒体の集合単位で計算するため、個々の粉粒体の連立方程式を計算する粒子要素法に比べて、計算時間が短くなる。
【００４８】
また、粉体オートマトン法では、予め貯蔵部２の内部を格子状に分割し、分割した格子（セル）内についての粒子の流入や排出を、対象のセルと、このセルと境界を接するセルとの相関関係により判定する方法である。例えば、対象のセルからこのセルと下方向で境界を接するセルへ粒子が移動する場合には、下方向のセルでの粉粒体の有無、対象のセルと境界を接するセルの粉粒体との摩擦力、壁面との摩擦力、及び粉粒体自体に作用する重力を基に判定する。セル毎に順次判定をすることで、粉粒体の移動を計算する。この方法では、対象のセルと、このセルと境界を接するセルとの関係のみを考慮して（正確には、（粒子と壁面との関係も考慮して）、粒子の移動を計算するため、連立方程式を計算する粒子要素法に比べると計算時間が短くなる。
【００４９】
何れの方法でも、粉粒体やその集合体の比重、粒子同士の摩擦係数、粒子と壁面との摩擦係数、貯蔵部２への供給時の粒子径及び空隙率を表す計算パラメータが必要である。これらの計算パラメータは、代表値またはその分布が情報格納部２４に予め格納されて、使用される。しかし、これらの計算パラメータは、実際の粉粒体の性質を代表することが困難であり、これが数値シミュレーションの結果に誤差が生じる要因の１つである。
【００５０】
本実施例の供給システムは、上述したように、下記の１）検知部９を備え、下記の２）補正部２７を備えるか補正部２７の処理を作業者が実行することで、数値シミュレーションから求めた粉粒体の挙動（流動状態や分布や性状）と実際の粉粒体の挙動との誤差を低減し、粉粒体の性状の実用的な予測が可能であることを特徴とする。
１）貯蔵部２の壁面に設けられ、粉粒体の圧力、流動方向、流動速度、摩擦力、及び粉粒体の圧力の脈動周波数のうち少なくとも１つを検出する検知部９（検知部の数は１つでも複数でもよい）。
２）検知部９の出力と計算部２５が実行した数値シミュレーションの結果とを比較し、情報格納部２４に格納された計算パラメータを修正する補正部２７。
【００５１】
検知部９には、例えば、粉粒体の重量や動きによって生じる貯蔵部２の壁面の圧力とその変動を検出する圧力センサや歪ゲージを用いることができる。また、粉粒体の流動方向や摩擦力を検知するために、貯蔵部２の内壁面に沿って設けた板と貯蔵部２の壁面との間での引っ張り力を検出する歪ゲージを用いることができる。何れの場合も、貯蔵部２の壁面に沿って検知部９を設けることが望ましい。検知部９を粉粒体に向かう方向に突出させる場合には、摩耗を考慮し、検知部９の突出長さを短くしたり、検知部９を耐摩耗材で構成したりすることが望ましい。また、粉粒体に向かう方向に突出させると、粉粒体の固着を促進させる可能性があるので、検知部９に振動を定期的に加える等の、粉粒体の固着を防ぐ措置をすることが望ましい。
【００５２】
検知部９の設置位置の例としては、図１に示すように、貯蔵部２の形状が変化し始める部分（粉粒体の排出方向に垂直な断面積が排出方向に向かって小さくなり始める部分）の下部に検知部９ａを設けたり、排出部３の近傍に検知部９ｂを設けたりすることができる。大型の貯蔵部２を用いる場合は、複数の検知部９を設けることが望ましい。
【００５３】
貯蔵部２の形状が変化し始める部分は、粉粒体の流れ方向が変わることにより、粉粒体の滞留や固着が起きやすい。また、排出部３の近傍は、粉粒体の圧力が高く、粉粒体の流れが早いことから、粉粒体の流れに変動が生じやすい場所である。数値シミュレーションでは、滞留、固着、及び流れの変動のように粉粒体の空隙率や摩擦力が変化する現象のモデル化が難しく、このような現象が起きやすい場所で特に誤差が出やすい。また、粉粒体がバイオマスの場合には、滞留や固着が起きると吸湿や発熱により粉粒体が変質する可能性が高まるため、変質し難い石炭の粉粒体に比べて、滞留や固着に対してより注意を払う必要がある。従って、本実施例のように、粉粒体の滞留や固着が起きやすい場所や粉粒体の流れに変動が生じやすい場所に検知部９を設け、数値シミュレーションの結果との差異を確認することで、貯蔵部２の内部での粉粒体の流れを適切に把握することが可能となる。
【００５４】
補正部２７（または作業者）が実行する計算パラメータの修正方法の例として、次のような方法がある。まず、検知部９が検知した貯蔵部２の壁面に対する粉粒体の圧力の平均値を求める（検知部９が複数ある場合には、それぞれの検知部について求める）。次に、計算部２５が実行した数値シミュレーションの結果のうち、検知部９が検知したのと同一箇所での貯蔵部２の壁面に対する粉粒体の圧力の平均値を求める（検知部９が複数ある場合には、それぞれの検知部に対応する圧力の平均値を求める）。そして、これらの平均値の差異を求め、数値シミュレーションの結果と検知部９が検知した値とが一致するように、計算パラメータ（例えば、粉粒体の比重）を変える。
【００５５】
また、貯蔵部２の壁面に対する粉粒体の圧力は、粉粒体の動作に合わせて脈動する。検知部９で検知した脈動周波数よりも数値シミュレーションで求めた脈動周波数が低い場合には、摩擦力の設定が過大と考えられる。そこで、このような場合には、例えば、設定した摩擦力（摩擦係数）を小さくするという計算パラメータの修正方法がある。粉粒体の流動速度に対しても、検知部９で検知した値よりも数値シミュレーションで求めた値が大きい場合には、設定した摩擦力を小さくすることが望ましい。また、摩擦力の測定値から検知部９の近傍での粉粒体の性状を求めることができるので、検知部９で検知した摩擦力から求めた粉粒体の性状を用いて計算パラメータを修正し、数値シミュレーションの結果を補正することができる。
【００５６】
以上の説明では、個別の測定値に対応した計算パラメータの修正方法の一例を示した。複数の測定値について数値シミュレーションの結果との比較が可能な場合には、複数の測定値のそれぞれに対応した複数の計算パラメータを同時に変更し、数値シミュレーションの結果を補正することができる。
【００５７】
上述のように、本実施例の粉粒体の供給システムは、検出部９を備え、補正部２７を備える、または補正部２７の処理を作業者が実行することで、情報格納部２４に格納した計算パラメータを修正して数値シミュレーションの結果を補正することができ、数値シミュレーションから求まる粉粒体の挙動（流動状態や分布や性状）と、実際の粉粒体の挙動との差異を抑制できる。さらに、以後の計算では、補正部２７（または作業者）が修正した計算パラメータを用いて数値シミュレーションを行うので、さらに精度よく粉粒体の性状を求めて予測できるとともに、数値シミュレーションに必要な計算コストを低減することができる。
【００５８】
数値シミュレーションとその結果の補正により、制御装置７は、粉粒体を貯蔵する貯蔵部の内部での粉粒体の性状（種類と混合比率）を予測することで、粉粒体が実際に排出されて供給システムの下流に設けられた機器に供給される前に、粉粒体の性状に合わせて機器の操作条件を調整できる。また、制御装置７は、供給システムの排出部３の動作速度を調整して、粉粒体の排出量の変動を抑制することができる。例えば、制御装置７は、粉粒体の排出速度が粉粒体の混合比率に応じて予め定めた一定速度になるように、排出部３の動作速度を制御して、粉粒体の排出量の変動を抑制することができる。
【００５９】
さらに、制御装置７は、供給システムへ粉粒体を供給する供給スケジュールを調整することも可能である。供給部１は、変更された供給スケジュールに従って、貯蔵部２へ粉粒体を供給する。
【００６０】
図３Ａは、入力部２１が受け取った、貯蔵部２への粉粒体の供給スケジュールの一例を示す図である。図３Ｂは、図３Ａに示した粉粒体の供給スケジュールを基に数値シミュレーションで求めた、供給システムの出口（貯蔵部２の排出口）での粉粒体の性状（種類と混合比率）の一例を示す図である。図３Ｃは、図３Ａに示した粉粒体の供給スケジュールと図３Ｂに示した供給システムの出口での粉粒体の性状とから求めた、貯蔵部２の粉粒体の貯蔵量を示す図である。図３Ａ〜図３Ｃにおいて、横軸は時刻を表す。縦軸は、図３Ａは貯蔵部２への粉粒体の供給速度を、図３Ｂは貯蔵部２からの粉粒体の排出速度を、図３Ｃは貯蔵部２の粉粒体の貯蔵量を表す。
【００６１】
図３Ａに示すように、供給スケジュールによると、６時から１０時まではバイオマスの粉粒体１０を貯蔵部２へ供給し、１１時から１６時までは石炭の粉粒体１１を貯蔵部２へ供給する。貯蔵部２からの粉粒体の排出は、図３Ｂに示すように、９時から開始する。バイオマスの粉粒体１０と石炭の粉粒体１１は、ともに２ｔ／ｈの速度で供給され、２ｔ／ｈの速度で排出されるものとする。
【００６２】
図３Ｂでは、予測線Ａによって、排出される粉粒体の混合比率を示している。すなわち、排出される粉粒体は、９時〜１２時頃まではバイオマスの粉粒体１０の割合が１００％であり、１２時頃〜１５時ではバイオマスの粉粒体１０と石炭の粉粒体１１が混合しており次第に石炭の粉粒体１１の割合が増加していき、１５時〜１７時では石炭の粉粒体１１の割合が１００％である。予測線Ａは、計算部２５が実行した数値シミュレーションの結果から求めることができる。
【００６３】
図３Ｃでは、予測線Ａによって、貯蔵部２が貯蔵する粉粒体の混合比率を示している。図３Ｃの予測線Ａは、図３Ｂの予測線Ａと同様に、計算部２５が実行した数値シミュレーションの結果から求めることができる。
【００６４】
また、貯蔵部２内の粉粒体の量が少ない場合には排出速度の変動が大きくなるため、なるべく一定量以上の粉粒体を貯蔵部２内に貯蔵することが望ましい。一方で、粉粒体の量が多すぎると、貯蔵部２の下部で粉粒体が圧密され、排出不良を起こす可能性がある。このため、貯蔵部２が貯蔵する粉粒体の量に対して上限値と下限値を決め、この範囲内の量の粉粒体を貯蔵部２が貯蔵するように供給システムを運転することが望ましい。図３Ａ〜図３Ｃに示した例の場合では、貯蔵部２は、粉粒体の排出開始時（９時）には６ｔの粉粒体を貯蔵し、排出終了時（１７時）には２ｔの粉粒体を貯蔵する。
【００６５】
石炭の粉粒体１１がバイオマスの粉粒体１０よりも流動性がよい場合には、先に供給されたバイオマスの粉粒体１０の全てが排出される前に、石炭の粉粒体１１が貯蔵部２の排出口に到達して排出される。例えば、図３Ｂの例では、予測線Ａで示すように、１２時頃にはバイオマスの粉粒体１０に石炭の粉粒体１１が混ざって排出され始め、全てのバイオマスの粉粒体１０が排出されるのは１５時となる。
【００６６】
制御装置７は、図３Ｂに示したような、数値シミュレーションの結果（補正後の結果）から求めた貯蔵部２から排出される粉粒体の性状（種類と混合比率）を基に、予め定めた条件に従い、粉粒体の供給スケジュールを変更することができる。制御装置７は、例えば、粉粒体が混合して排出される時間の長さが第１の所定時間以上の場合には、後から供給される粉粒体の供給時刻を第２の所定の時間だけ遅らせるという条件に従い、複数の種類の粉粒体（本実施例ではバイオマスの粉粒体１０と石炭の粉粒体１１と）が混合して排出される時間が短くなるように、貯蔵部２への粉粒体の供給スケジュールを変更する。
【００６７】
図４Ａは、変更した、貯蔵部２への粉粒体の供給スケジュールの一例を示す図である。図４Ｂは、図４Ａに示した粉粒体の供給スケジュールを基に数値シミュレーションで求めた、供給システムの出口（貯蔵部２の排出口）での粉粒体の性状（種類と混合比率）の一例を示す図である。図４Ｃは、図４Ａに示した粉粒体の供給スケジュールと図４Ｂに示した供給システムの出口での粉粒体の性状とから求めた、貯蔵部２の粉粒体の貯蔵量を示す図である。図４Ａ〜図４Ｃにおいて、横軸と縦軸は、図３Ａ〜図３Ｃと同じである。
【００６８】
図４Ａに示すように、変更した供給スケジュールでは、バイオマスの粉粒体１０の供給に変更はないが、石炭の供給開始時間を１時間遅らせて１２時からとし、バイオマスの粉粒体１０と石炭の粉粒体１１とが混合する時間が短くなるようにした。
【００６９】
図４Ｂでは、予測線Ｂによって、排出される粉粒体の混合比率を示している。すなわち、排出される粉粒体は、９時〜１２時半頃ではバイオマスの粉粒体１０の割合が１００％であり、１2時半頃〜１５時ではバイオマスの粉粒体１０と石炭の粉粒体１１が混合しており次第に石炭の粉粒体１１の割合が増加していき、１５時〜１７時では石炭の粉粒体１１の割合が１００％である。予測線Ｂは、計算部２５が実行した数値シミュレーションの結果から求めることができる。図４Ｂと図３Ｂからわかるように、供給スケジュールの変更により、バイオマスの粉粒体１０と石炭の粉粒体１１とが混合して排出される時間を短くすることができた。これにより、排出される粉粒体の性状を把握することが容易になるとともに、粉粒体の供給システムの下流にある粉砕機の粉砕条件や粉砕機の下流にあるボイラの燃焼条件の調整が容易になる。
【００７０】
図４Ｃでは、予測線Ｂによって、貯蔵部２が貯蔵する粉粒体の混合比率を示している。図４Ｃの予測線Ｂは、図４Ｂの予測線Ｂと同様に、計算部２５が実行した数値シミュレーションの結果から求めることができる。図４Ｃと図４Ｂからわかるように、供給スケジュールの変更により、石炭の粉粒体１１を供給し始めるときの貯蔵部２内のバイオマスの粉粒体１０の貯蔵量を減らし、バイオマスの粉粒体１０と石炭の粉粒体１１とが混合して貯蔵部２に貯蔵される時間を短くすることができた。
【００７１】
次に、数値シミュレーションの結果から粉粒体の粒子の圧密層が形成されると想定される場合の対応例と、既に圧密層が形成されている場合の対応例を示す。
【００７２】
まず、粉粒体の粒子の圧密層が形成されると想定される場合の対応例について説明する。図３Ａに示した粉粒体の供給スケジュールを実行する場合において、１０時に数値シミュレーションを実行したところ、石炭の粉粒体１１を供給する１１時以降に、バイオマスの粉粒体１０の下部で圧密層が形成され、この圧密層の流動が特に遅くなることがわかったとする。圧密層が形成されて粉粒体の一部の流動が遅くなると、これに伴い、他の部分の流動が早まり、上部の粉粒体が先に排出される、いわゆるファンネルフローが形成されやすくなる。このファンネルフローが形成されると、下部と上部の粉粒体の層が同時に排出される混合状態が長く続く。さらに、粉粒体の層の崩落に伴う排出速度の変動が大きくなり、また圧密層が固着しやすくなるなど、排出不良が生じやすくなる。このため、一般にファンネルフローの形成は望ましくなく、排出口へ向かう粉粒体の流れが貯蔵部２の全体で均等に生じる、いわゆるマスフローの状態を維持することが望ましい。
【００７３】
この場合には、例えば図４Ａで示したように、石炭の粉粒体１１の供給を１時間遅らせれば、貯蔵部２内の粉粒体の重量が減ることから、粉粒体の圧密を緩和し、圧密層の形成を抑制できる。すなわち、石炭の粉粒体１１の供給を遅らせるように粉粒体の供給スケジュールを変更することで、ファンネルフローの形成を抑制し、マスフローの状態を維持することができる。
【００７４】
次に、貯蔵部２内に既に圧密層が形成され、粉粒体の流動が阻害されている場合の対応例について説明する。圧密層の形成は、検知部９の検出値から把握することができる。
【００７５】
図５は、貯蔵部２内のバイオマスの粉粒体１０に圧密層３０が形成されている場合の粉粒体の供給システムの模式図である。図５において、図１と同一の符号は図１と同一の構成要素を示し、これらの要素については説明を省略する。
【００７６】
図５に示すように、貯蔵部２の形状が変化し始める部分（粉粒体の排出方向に垂直な断面積が排出方向に向かって小さくなり始める部分）とその下部の近傍で、貯蔵部２の壁面に沿って、バイオマスの粉粒体１０の圧密層３０が形成されている。この圧密層３０は、検知部９ａによって、形成されたことが把握できる。
【００７７】
この場合には、図５に示すように、供給部１が貯蔵部２へ粉粒体を供給する位置を変更し、圧密層３０の上方に粉粒体を偏って供給することで、貯蔵部２の壁面と圧密層３０との間の摩擦力よりも、圧密層３０に加わる重力を大きくする。圧密層３０の上方に供給された粉粒体の作用により圧密層３０を下方へ押し動かし、圧密層３０の排出を促進することができる。
【００７８】
供給部１は、貯蔵部２に対して移動可能であり、移動することで、貯蔵部２へ粉粒体を供給する位置を変更することができる。または、供給部１は、貯蔵部２へ粉粒体を供給するための突出部を有し、突出部の長さを変えることで、貯蔵部２へ粉粒体を供給する位置を変更することができる。
【００７９】
制御装置７は、予め定めた条件に従い、供給部１を移動させたり、供給部１の突出部の長さを変えたりして、供給部１の貯蔵部２への粉粒体の供給位置（水平方向の位置）を変更することができる。例えば、制御装置７は、数値シミュレーションで求めた圧密層３０の位置や検知部９が検知した圧密層３０の位置に合わせて貯蔵部２へ粉粒体を供給するという条件に従い、貯蔵部２の中央部から壁面に近い周辺部へ、粉粒体の供給位置を変更することができる（図１と図５を参照）。
【００８０】
以上示したように、本実施例の粉粒体の供給システムは、数値シミュレーションの結果に基づいて、貯蔵部２への粉粒体の供給スケジュールや貯蔵部２における粉粒体の供給位置を変更する制御装置７を備えることで、貯蔵部２内での粉粒体の流動状態をマスフローの状態に保つことができ、供給された順に粉粒体を排出することができる。
【実施例２】
【００８１】
図６は、本発明の実施例２による燃焼装置の模式図である。本実施例による燃焼装置は、実施例１で説明した粉粒体の供給システムを備える。図６において、図１と同一の符号は図１と同一の構成要素を示し、これらの要素については説明を省略する。
【００８２】
本実施例による燃焼装置は、粉粒体の供給システムと、粉砕機４１と、火炉４０と、制御部４５を備え、供給システムの貯蔵部２から排出された粉粒体が供給され、この粉粒体を燃焼する。
【００８３】
燃料である粉粒体は、供給システムの貯蔵部２から排出されて搬送部４によって粉砕機４１へ供給される。粉砕機４１は、供給された粉粒体を粉砕した後、粉砕した粉粒体を火炉４０へ供給する。火炉４０は、粉砕機４１からの粉粒体を火炉４０内に噴出するバーナ４２と、バーナ４２の上部に設置された空気供給口４３とを備え、燃料である粉粒体がバーナ４２を介して供給されるとともに、燃焼用空気が空気供給口４３から供給され、バーナ４２により粉粒体を燃焼する。
【００８４】
制御部４５は、粉粒体の供給システムの制御装置７に接続され、供給システムの数値シミュレーションの結果（例えば、粉粒体の性状）を受け取ることができる。さらに、制御部４５は、粉砕機４１に接続され、粉砕機４１の粉砕条件を変更することができる。また、制御部４５は、粉砕機４１とバーナ４２へ空気を供給するファン４４に接続され、粉砕機４１やバーナ４２へ供給する空気量を制御して、粉砕機４１と火炉４０を制御する。
【００８５】
粉粒体の供給システムの制御装置７は、数値シミュレーションの結果に基づいて、供給システムの出口（貯蔵部２の排出口）での粉粒体の性状（種類と混合比率）を予測する。制御装置７の数値シミュレーションの結果や粉粒体の性状の予測結果は、制御部４５に伝達される。制御部４５は、伝達されたこれらの結果を基にして、供給システムに接続された粉砕機４１の粉砕条件（例えば、粉砕加圧力、粉砕速度、分級器の回転数、導入空気量、及び温度）を変更することができる。
【００８６】
例えば、異なる複数の種類の粉粒体（本実施例では、バイオマス１０と石炭１１）が混合されて粉砕機４１に供給される場合には、粉砕機４１の粉砕条件を１種類の粉粒体だけに合わせると、粉粒体の滑りや噛み込み、及び過大な粉砕負荷や過小な粉砕負荷による異常振動が生じる可能性が高まる。このため、粉粒体の性状（種類と混合比率）を正確に予測することが望まれている。
【００８７】
従来の粉粒体の供給システムでは、数値シミュレーションによる予測精度が低く、粉粒体の性状を正確に予測することが困難であるため、予め設定した誤差時間を用い、粉粒体の性状が変化する前に粉砕条件をより安定な条件に変える必要がある。この場合には、粉砕機４１の粉砕動力が増加するなどのために、燃焼装置の経済性が低下する可能性がある。
【００８８】
一方、本実施例の燃焼装置では、供給システムの制御装置７が、粉粒体の性状が変化する時刻を粉粒体が供給されるよりも前に、より正確に把握することができ、粉粒体の性状の変化や変化が起こる時刻を燃焼装置の制御部４５に伝達することができる。燃焼装置の制御部４５は、供給システムの制御装置７からの情報を基に粉砕機４１と火炉４０を制御するので、燃焼装置の経済性の低下を抑制できる。
【００８９】
また、制御部４５は、粉粒体の供給システムの制御装置７から伝達された数値シミュレーションの結果や粉粒体の性状の予測結果を基にして、バーナ４２へ供給する空気量を変更することができ、火炉４０の燃焼条件（例えば、空気量配分、及び運転負荷）を制御することができる。バーナ４２に供給する空気量を変更することにより、バーナ４２の保炎状態を最適化し、安定した火炎を得ることができる。さらに、粉砕条件が低下し、燃焼状態も低下することが見込まれる場合には、事前に油等の助燃装置を準備しておき、燃焼装置を安定に稼働することが可能である。
【００９０】
なお、本発明は、上記の実施例に限定されるものではなく、様々な変形例を含む。例えば、上記の実施例は、本発明を分かりやすく説明するために詳細に説明したものであり、本発明は、必ずしも説明した全ての構成を備える態様に限定されるものではない。
【００９１】
また、各図面において、制御線や情報線は説明上必要と考えられるものを記載しており、必ずしも製品として必要な全ての制御線や情報線を記載しているとは限らない。実際の製品では、殆ど全ての構成要素が相互に接続されていると考えてもよい。
【符号の説明】
【００９２】
１…供給部、２…貯蔵部、３…排出部、４…搬送部、５…供給量計測部、６…排出量計測部、７…制御装置、８…表示部、９、９ａ、９ｂ…検知部、１０…バイオマスの粉粒体、１１…石炭の粉粒体、２１…入力部、２２…入力設定部、２３…情報照合部、２４…情報格納部、２５…計算部、２７…補正部、３０…圧密層、４０…火炉、４１…粉砕機、４２…バーナ、４３…空気供給口、４４…ファン、４５…制御部。
【図１】
2015045463.tif 000003
【図２】
2015045463.tif 000004
【図３Ａ】
2015045463.tif 000005
【図３Ｂ】
2015045463.tif 000006
【図３Ｃ】
2015045463.tif 000007
【図４Ａ】
2015045463.tif 000008
【図４Ｂ】
2015045463.tif 000009
【図４Ｃ】
2015045463.tif 000010
【図５】
2015045463.tif 000011
【図６】
2015045463.tif 000012